(57)【要約】      （修正有）【課題】異常検出機能を有するデジタル制御電源を提供する。【解決手段】出力電圧（出力電流）及び第１及び第２フィードバック信号を出力するパワー部と、フィードバック用デジタル信号及び第１監視信号を出力する第１Ａ／Ｄ変換器と、第２監視信号を出力する第２Ａ／Ｄ変換器と、ＰＷＭ信号に基づいてゲート信号を出力するドライバと、ＰＷＭ信号を出力するＰＷＭ回路、及び第１監視信号の値が所定の範囲内にない場合に第１異常検出信号を出力する第１異常検出信号出力部を備えた電源制御用デジタルコントローラと、第２監視信号の値が所定の範囲内にない場合には第２異常検出信号を出力する第２異常検出信号出力部を備えた監視用デジタルコントローラと、第１異常検出信号及び第２異常検出信号の少なくとも一方が出力された場合にアラームを出力するアラーム出力部と、を有する。【選択図】図２
2014064354.tif 000002
【特許請求の範囲】
【請求項１】
ゲート信号に基づいて入力電圧を変換して出力電圧を出力、またはゲート信号に基づいて入力電流を変換して出力電流を出力すると共に、第１及び第２フィードバック信号を出力するパワー部と、
レギュレーションを主、監視を従とした前記第１フィードバック信号に基づいてフィードバック用デジタル信号及び第１監視信号を出力する第１Ａ／Ｄ変換器と、
監視を主とした前記第２フィードバック信号に基づいて第２監視信号を出力する第２Ａ／Ｄ変換器と、
前記ＰＷＭ信号に基づいてゲート信号を出力するドライバと、
前記フィードバック用デジタル信号に基づいて前記パワー部を制御するためのＰＷＭ信号を出力するＰＷＭ回路、及び前記第１監視信号の値が所定の範囲内にない場合に第１異常検出信号を出力する第１異常検出信号出力部を備えた電源制御用デジタルコントローラと、
前記第２監視信号の値が所定の範囲内にない場合には第２異常検出信号を出力する第２異常検出信号出力部を備えた監視用デジタルコントローラと、
前記第１異常検出信号及び前記第２異常検出信号の少なくともいずれか一方が出力された場合にアラームを出力するアラーム出力部と、
を有することを特徴とするデジタル制御電源。
【請求項２】
前記監視用デジタルコントローラは、前記第１監視信号の値と前記第２監視信号の値との差分である監視信号の差分を算出し、該監視信号の差分が所定の範囲内にない場合に第３異常検出信号を出力する監視信号比較部をさらに備え、
前記アラーム出力部は、前記第１異常検出信号、前記第２異常検出信号及び前記第３異常検出信号の少なくともいずれか一つが出力された場合にアラームを発生する、請求項１に記載のデジタル制御電源。
【請求項３】
前記電源制御用デジタルコントローラは、前記第１監視信号の基準となる第１基準値を記憶する第１レジスタをさらに備え、
前記監視用デジタルコントローラは、前記第２監視信号の基準となる第２基準値を記憶する第２レジスタと、前記第１基準値と第２基準値との差分である基準値の差分を算出し、該基準値の差分が所定の範囲内にない場合に第４異常検出信号を出力する基準値比較部と、をさらに備え、
前記アラーム出力部は、前記第１異常検出信号、前記第２異常検出信号及び前記第４異常検出信号の少なくともいずれか一つが出力された場合にアラームを発生する、請求項１に記載のデジタル制御電源。
【請求項４】
前記電源制御用デジタルコントローラは、前記第１監視信号の基準となる第１基準値を記憶する第１レジスタをさらに備え、
前記監視用デジタルコントローラは、前記第１監視信号の値と前記第２監視信号の値との差分である監視信号の差分を算出し、該監視信号の差分が所定の範囲内にない場合に第３異常検出信号を出力する監視信号比較部と、前記第２監視信号の基準となる第２基準値を記憶する第２レジスタと、前記第１基準値と第２基準値との差分である基準値の差分を算出し、該基準値の差分が所定の範囲内にない場合に第４異常検出信号を出力する基準値比較部と、をさらに備え、
前記アラーム出力部は、前記第１乃至第４異常検出信号の少なくともいずれか一つが出力された場合にアラームを発生する、請求項１に記載のデジタル制御電源。
【発明の詳細な説明】
【技術分野】
【０００１】
本発明は、デジタル制御電源に関し、特に異常検出機能を有するデジタル制御電源に関する。
【背景技術】
【０００２】
一般的に、デジタル制御電源は、デジタルコントローラ、ドライバ、パワー部等の各機能ブロックを有する。図１は従来のデジタル制御電源の構成例である。従来のデジタル制御電源２００におけるレギュレーション動作は次の通りである。
【０００３】
パワー部２０２の入出力電圧や電流、温度などの情報は、Ａ／Ｄ変換器２０３を経てデジタルコントローラ２０１にフィードバックされる。デジタルコントローラ２０１はフィードバックされたパワー部２０２の情報を元に、フィードバックされた信号（電源出力）がデジタルコントローラ２０１に設定された出力電圧／電流値と一致するようなＰＷＭ信号を生成する。生成されたＰＷＭ信号に従いドライバ２０４がパワー部２０２のＦＥＴを駆動することにより、入力電圧が出力電圧へと変換される。上記の動作が繰り返されることにより、一定の電圧や電流が出力される。
【０００４】
また、従来のデジタル制御電源２００では、デジタルコントローラ２０１にフィードバックされる情報を用いて、パワー部２０２の状態を監視し、監視値が予め設定された範囲内にあるか否かを判断し、異常がある場合にはアラーム出力部２０５が監視アラームを出力してシステム（図示せず）に通知することにより、デジタル制御電源２００に異常が発生したことをシステムに通知できる監視機能を備えているものが一般的である。
【０００５】
なお、各機能ブロックは必ずしも独立しておらず、デジタルコントローラ２０１にＡ／Ｄ変換器２０３やドライバ２０４が含まれる場合や、パワー部２０２にドライバ２０４が含まれる場合などもある。
【０００６】
異常を検出するデジタル制御電源として、演算処理回路（デジタルコントローラ）の演算異常を監視し、演算異常時に電源出力をオフするものが知られている（例えば、特許文献１）。
【０００７】
また、演算処理回路が異常監視を行う相互監視回路が知られている（例えば、特許文献２）。これは、マイクロコンピュータ間で互いのウォッチドッグ信号を監視することにより、マイクロコンピュータの誤動作の影響を受けずに異常を検出できるというものである。
【０００８】
上記２つの従来技術はデジタルコントローラの誤動作による異常を検出するものであるが、フィードバックの経路に不具合が生じた際の異常を検出するものではない。
【０００９】
また電源ユニットの状態を監視する多重化システムが報告されている（例えば、特許文献３）。これはシステム全体を多重化することにより、あるシステムの電源ユニットが故障した場合でも故障した電源ユニットの監視が可能となるというものである。
【先行技術文献】
【特許文献】
【００１０】
【特許文献１】特開２０１１−１０４９１号公報
【特許文献２】特開平６−１１９２１０号公報
【特許文献３】特開２０１２−７０３０７号公報
【発明の概要】
【発明が解決しようとする課題】
【００１１】
上記の構成を持つデジタル制御電源において、Ａ／Ｄ変換器の不具合などフィードバックの経路に不具合が生じデジタルコントローラにフィードバックされる信号が監視対象の状態を正しく反映していない場合には、デジタルコントローラはフィードバックされた信号を元にＰＷＭ信号を生成するため、本来の設定値とは異なる異常な電圧や電流が電源出力としてレギュレーションされてしまうという問題点があった。
【００１２】
さらに、上述の異常状態は本来デジタルコントローラが電源出力を異常と判定し、監視アラームを出力するべき状態であるが、デジタルコントローラはレギュレーションで使用しているフィードバック信号を監視しているため、フィードバックの経路に不具合がある場合にはデジタルコントローラは正常な出力電圧／電流と誤判定してしまい、異常を検出できないという問題点があった。
【課題を解決するための手段】
【００１３】
本発明のデジタル制御電源は、ゲート信号に基づいて入力電圧を変換して出力電圧を出力、またはゲート信号に基づいて入力電流を変換して出力電流を出力すると共に、第１及び第２フィードバック信号を出力するパワー部と、レギュレーションを主、監視を従とした第１フィードバック信号に基づいてフィードバック用デジタル信号及び第１監視信号を出力する第１Ａ／Ｄ変換器と、監視を主とした第２フィードバック信号に基づいて第２監視信号を出力する第２Ａ／Ｄ変換器と、ＰＷＭ信号に基づいてゲート信号を出力するドライバと、フィードバック用デジタル信号に基づいてパワー部を制御するためのＰＷＭ信号を出力するＰＷＭ回路、及び第１監視信号の値が所定の範囲内にない場合に第１異常検出信号を出力する第１異常検出信号出力部を備えた電源制御用デジタルコントローラと、第２監視信号の値が所定の範囲内にない場合には第２異常検出信号を出力する第２異常検出信号出力部を備えた監視用デジタルコントローラと、第１異常検出信号及び第２異常検出信号の少なくともいずれか一方が出力された場合にアラームを出力するアラーム出力部と、を有することを特徴とする。
【発明の効果】
【００１４】
デジタル制御電源において、監視機能が２重化（多重化）されることにより、フィードバックの経路に不具合が生じた場合においても、監視対象が正常範囲内か異常状態かをシステムに通知できる。
【００１５】
また、デジタルコントローラの監視範囲などの設定値が誤って変更されてしまった場合など、デジタルコントローラに不具合が生じた場合においても、デジタルコントローラの不具合をシステムに通知できる。
【図面の簡単な説明】
【００１６】
【図１】従来のデジタル制御電源の構成図である。
【図２】本発明の実施例１に係るデジタル制御電源の構成図である。
【図３】本発明の実施例１に係るデジタル制御電源の動作を説明するためのフローチャートである。
【図４】本発明の実施例２に係るデジタル制御電源の構成図である。
【図５】本発明の実施例２に係るデジタル制御電源の動作を説明するためのフローチャートである。
【図６】本発明の実施例３に係るデジタル制御電源の構成図である。
【図７】本発明の実施例３に係るデジタル制御電源の動作を説明するためのフローチャートである。
【図８】本発明の実施例４に係るデジタル制御電源の構成図である。
【図９】本発明の実施例４に係るデジタル制御電源の動作を説明するためのフローチャートである。
【発明を実施するための形態】
【００１７】
以下、図面を参照して、本発明に係るデジタル制御電源について説明する。ただし、本発明の技術的範囲はそれらの実施の形態には限定されず、特許請求の範囲に記載された発明とその均等物に及ぶ点に留意されたい。
【００１８】
［実施例１］
本発明の実施例１に係るデジタル制御電源の構成を図２に示す。本発明の実施例１に係るデジタル制御電源１０１は、ゲート信号に基づいて入力電圧（入力電流）を変換して出力電圧（出力電流）を出力すると共に、第１および第２フィードバック信号を出力するパワー部３と、レギュレーションを主、監視を従とした第１フィードバック信号に基づいてフィードバック用デジタル信号及び第１監視信号を出力する第１Ａ／Ｄ変換器４と、監視を主とした第２フィードバック信号に基づいて第２監視信号を出力する第２Ａ／Ｄ変換器１１と、ＰＷＭ信号に基づいてゲート信号を出力するドライバ６と、フィードバック用デジタル信号に基づいてパワー部３を制御するためのＰＷＭ信号を出力するＰＷＭ回路５、及び第１監視信号の値が所定の範囲内にない場合に第１異常検出信号を出力する第１異常検出信号出力部７を備えた電源制御用デジタルコントローラ１と、第２監視信号の値が所定の範囲内にない場合には第２異常検出信号を出力する第２異常検出信号出力部１２を備えた監視用デジタルコントローラ２と、第１異常検出信号及び第２異常検出信号の少なくともいずれか一方が出力された場合にアラームを出力するアラーム出力部１０と、を有することを特徴とする。
【００１９】
本発明の実施例１に係るデジタル制御電源１０１は、監視用デジタルコントローラ２により構成される監視専用の回路を備えることにより、従来のデジタル制御電源のように１つのフィードバック信号を電源のレギュレーション用信号及び監視信号として併用しているために発生する問題を解決するものである。すなわち、従来、１つのデジタルコントローラで電源のレギュレーションとパワー部の監視を行っていたが、監視用デジタルコントローラ２及び第２Ａ／Ｄ変換器１１をさらに設けて、監視機能を２重化（多重化）することにより、フィードバックの経路に不具合が発生した場合においても異常を検出できるデジタル制御電源を実現することができる。
【００２０】
図２に示すように、パワー部３の入出力電圧や電流、温度などの情報は、第１Ａ／Ｄ変換器４を経て電源制御用デジタルコントローラ１にフィードバックされる。電源制御用デジタルコントローラ１内に設けられたＰＷＭ回路５はフィードバックされたパワー部３の情報を元に、フィードバックされた信号（電源出力）が第１レジスタ８に設定された出力電圧／電流値と一致するようなＰＷＭ信号を生成する。生成されたＰＷＭ信号に従いドライバ６がパワー部３のＦＥＴを駆動することにより、入力電圧が出力電圧へと変換される。上記の動作が繰り返されることにより、一定の電圧や電流が出力される。
【００２１】
また、電源制御用デジタルコントローラ１にフィードバックされる情報を用いて、電源制御用デジタルコントローラ１内に設けられた第１異常検出信号出力部７がパワー部３の状態を監視し、監視値が予め第１レジスタ８に記憶された第１基準値に基づく所定の範囲内にない場合には、第１異常検出信号を出力し、これに基づいてアラーム出力部１０が監視アラームを出力することによりシステムに通知する。
【００２２】
同様に、監視用デジタルコントローラ２には第２フィードバック信号に基づく第２監視信号が第２Ａ／Ｄ変換器１１から入力され、監視値が予め第２レジスタ１３に記憶された第２基準値に基づく所定の範囲内にない場合には、第２異常検出信号を出力し、これに基づいてアラーム出力部１０が監視アラームを出力することによりシステムに通知する。
【００２３】
次に、本発明の実施例１に係るデジタル制御電源１０１の動作について説明する。図３に本発明の実施例１に係るデジタル制御電源の動作を表すフローチャートを示す。まず、ステップＳ１０１において、デジタル制御電源１０１に入力された入力電圧（入力電流）をゲート信号に基づいて変換してパワー部３が出力電圧（出力電流）を出力するとともに第１及び第２フィードバック信号を出力する。第１及び第２フィードバック信号は、電圧、電流、温度等に関する信号を含む。パワー部３から出力された第１及び第２フィードバック信号は、第１Ａ／Ｄ変換器４及び第２Ａ／Ｄ変換器１１にそれぞれ入力される。
【００２４】
次に、ステップＳ１０２において、第１Ａ／Ｄ変換器４が第１フィードバック信号をフィードバック用デジタル信号及び第１監視信号にＡ／Ｄ変換して電源制御用デジタルコントローラ１へ出力する。具体的には、フィードバック用デジタル信号は電源制御用デジタルコントローラ１内に設けられたＰＷＭ回路５に出力され、第１監視信号は電源制御用デジタルコントローラ１内に設けられた第１異常検出信号出力部７に出力される。
【００２５】
次に、ステップＳ１０３において、ＰＷＭ回路５がフィードバック用デジタル信号に基づいてＰＷＭ信号を生成してパワー部３から出力される出力電圧（出力電流）を制御する。
【００２６】
次に、ステップＳ１０４において、第１異常検出信号出力部７が第１監視信号と第１レジスタ８に保存された第１基準値とを比較することにより、第１監視信号が第１基準値に基づく所定の範囲内にあるか否かを判断する。第１監視信号が所定の範囲内にない場合には、ステップＳ１０７において、第１異常検出信号出力部７から第１異常検出信号がアラーム出力部１０に出力され、アラーム出力部１０は監視アラームを出力する。一方、第１監視信号が所定の範囲内である場合には、以下のように監視用デジタルコントローラ２による２重の監視が行われる。
【００２７】
ステップＳ１０５において、第２Ａ／Ｄ変換器１１は、第２フィードバック信号を第２監視信号にＡ／Ｄ変換して監視用デジタルコントローラ２へ出力する。具体的には、第２監視信号は、監視用デジタルコントローラ２内に設けられた第２異常検出信号出力部１２に出力される。
【００２８】
次に、ステップＳ１０６において、第２異常検出信号出力部１２が第２監視信号と第２レジスタ１３に保存された第２基準値とを比較することにより、第２監視信号は第２基準値に基づく所定の範囲内にあるか否かを判断する。第２監視信号が所定の範囲内にない場合には、ステップＳ１０７において、第２異常検出信号出力部１２から第２異常検出信号がアラーム出力部１０に出力され、アラーム出力部１０は監視アラームを出力する。一方、第２監視信号が所定の範囲内である場合には、ステップＳ１０２に戻って、パワー部３の出力の安定化及び第１及び第２フィードバック信号の監視が継続される。以上のようにして、監視用デジタルコントローラ２によるフィードバック信号の２重の監視が行われる。
【００２９】
以上説明したように、実施例１に係るデジタル制御電源において、パワー部からのフィードバック信号に基づいて、２つのＡ／Ｄ変換器を介して変換された２つの異常検出信号によりフィードバック信号の異常を検出する回路を２重化することにより、１つの異常検出回路に不具合が生じた場合においても、他方の異常検出回路によりデジタル制御電源の異常を検出することができる。
【００３０】
本実施例では、通常のフィードバック信号を２重に監視する構成を示したが、これには限られず、監視を３重以上に多重化することも可能である。
【００３１】
［実施例２］
次に、本発明の実施例２に係るデジタル制御電源について説明する。本発明の実施例２に係るデジタル制御電源の構成を図４に示す。本発明の実施例２に係るデジタル制御電源１０２が、実施例１に係るデジタル制御電源１０１と異なっている点は、監視用デジタルコントローラ２が、第１監視信号の値と第２監視信号の値との差分である監視信号の差分を算出し、該監視信号の差分が所定の範囲内にない場合に第３異常検出信号を出力する監視信号比較部１４をさらに備え、アラーム出力部１０は、第１異常検出信号、第２異常検出信号及び第３異常検出信号の少なくともいずれか一つが出力された場合にアラームを発生する点である。その他の構成は実施例１の構成と同様であるので重複説明は省略する。
【００３２】
実施例１の構成においてもハングアップが生じた場合など、デジタルコントローラに不具合が生じた場合には、異常を検出できなくなる恐れがある。そこで、デジタルコントローラ間でフィードバック（監視）信号を相互に監視し、各々の差分が予め設定された範囲を超えた場合に監視アラームを出力するものである。
【００３３】
このような構成とすることにより、例えば、第１監視信号が異常な範囲にあるにも関わらず第１異常検出信号出力部７自体の動作に不具合が生じた場合には、監視信号比較部１４が第１監視信号と第２監視信号とを比較し、第１監視信号と第２監視信号との差分が監視信号比較部１４に予め設定された所定の範囲内にない場合には異常と判断することが可能となる。
【００３４】
次に、本発明の実施例２に係るデジタル制御電源１０２の動作について説明する。図５に本発明の実施例２に係るデジタル制御電源の動作を表すフローチャートを示す。ステップＳ２０１〜２０５の動作は、実施例１に係るデジタル制御電源の動作を示した図３のフローチャートのステップＳ１０１〜１０５の動作と同様であるので、重複説明を省略する。
【００３５】
ステップＳ２０６において、第２監視信号が所定の範囲内である場合には、実施例１のようにフィードバックを継続するのではなく、ステップＳ２０７においてさらに監視を行う。ステップＳ２０７において、監視用デジタルコントローラ２内に設けられた監視信号比較部１４が、第１監視信号の値と第２監視信号の値との差分である監視信号の差分を算出する。
【００３６】
次に、ステップＳ２０８において、監視信号比較部１４が監視信号の差分が監視信号比較部１４に予め設定された所定の範囲内であるか否かを判断する。監視信号の差分が所定の範囲内にない場合には、第３異常検出信号を出力し、ステップＳ２０９において第３異常検出信号がアラーム出力部１０に出力され、アラーム出力部１０は監視アラームを出力する。一方、監視信号の差分が所定の範囲内である場合には、ステップＳ２０２に戻って、パワー部３の出力の安定化及び第１及び第２フィードバック信号の監視が継続される。
【００３７】
以上のようにして、監視用デジタルコントローラ２内に第２異常検出信号出力部１２及び監視信号比較部１４を設けることにより、アラーム出力部１０は、第１異常検出信号、第２異常検出信号及び第３異常検出信号の少なくともいずれか一つが出力された場合にアラームを発生するようにして、フィードバック信号の監視を多重化することができる。
【００３８】
［実施例３］
次に、本発明の実施例３に係るデジタル制御電源について説明する。本発明の実施例３に係るデジタル制御電源の構成を図６に示す。本発明の実施例３に係るデジタル制御電源１０３が、実施例１に係るデジタル制御電源１０１と異なっている点は、電源制御用デジタルコントローラ１が、第１監視信号の基準となる第１基準値を記憶する第１レジスタ８を備え、監視用デジタルコントローラ２が、第２監視信号の基準となる第２基準値を記憶する第２レジスタ１３と、第１基準値と第２基準値との差分である基準値の差分を算出し、該基準値の差分が所定の範囲内にない場合に第４異常検出信号を出力する基準値比較部１５と、をさらに備え、アラーム出力部１０は、第１異常検出信号、第２異常検出信号及び第４異常検出信号の少なくともいずれか一つが出力された場合にアラームを発生する点である。その他の構成は実施例１の構成と同様であるので重複説明は省略する。
【００３９】
実施例１の構成においてもデジタルコントローラの監視値などの設定値が誤って変更されてしまった場合など、デジタルコントローラに不具合が生じた場合には、異常を検出できなくなる恐れがある。そこで、デジタルコントローラ間で監視範囲などの設定値を相互に監視し、各々の差分が予め設定された範囲を超えた場合に監視アラームを出力するものである。
【００４０】
このような構成とすることにより、例えば、第１監視信号が異常な範囲にあるにも関わらず第１レジスタ８自体の動作に不具合が生じた場合には、基準値比較部１５が第１レジスタ８に記憶された第１基準値と、第２レジスタ１３に記憶された第２基準値とを比較し、基準値比較部１５に予め設定された所定の範囲内にない場合には異常と判断することが可能となる。
【００４１】
次に、本発明の実施例３に係るデジタル制御電源１０３の動作について説明する。図７に本発明の実施例３に係るデジタル制御電源の動作を表すフローチャートを示す。ステップＳ３０１〜３０５の動作は、実施例１に係るデジタル制御電源の動作を示した図３のフローチャートのステップＳ１０１〜１０５の動作と同様であるので、重複説明を省略する。
【００４２】
ステップＳ３０６において、第２監視信号が所定の範囲内である場合には、実施例１のようにフィードバックを継続するのではなく、ステップＳ３０７においてさらに監視を行う。ステップＳ３０７において、監視用デジタルコントローラ２内に設けられた基準値比較部１５が、第１基準値と第２基準値との差分である基準値の差分を算出する。
【００４３】
次に、ステップＳ３０８において、基準値比較部１５が基準値の差分が基準値比較部１５に予め設定された所定の範囲内であるか否かを判断する。基準値の差分が所定の範囲内にない場合には、第４異常検出信号を出力し、ステップＳ３０９において第４異常検出信号がアラーム出力部１０に出力され、アラーム出力部１０は監視アラームを出力する。一方、基準値が所定の範囲内である場合には、ステップＳ３０２に戻って、パワー部３の出力の安定化及び第１及び第２フィードバック信号の監視が継続される。
【００４４】
以上のようにして、監視用デジタルコントローラ２内に第２異常検出信号出力部１２及び基準値比較部１５を設けることによって、アラーム出力部１０は、第１異常検出信号、第２異常検出信号及び第４異常検出信号の少なくともいずれか一つが出力された場合にアラームを発生するようにして、監視を多重化することができる。
【００４５】
［実施例４］
次に、本発明の実施例４に係るデジタル制御電源について説明する。本発明の実施例４に係るデジタル制御電源の構成を図８に示す。本発明の実施例４に係るデジタル制御電源１０４が、実施例１に係るデジタル制御電源１０１と異なっている点は、電源制御用デジタルコントローラ１が、第１監視信号の基準となる第１基準値を記憶する第１レジスタ８をさらに備え、監視用デジタルコントローラ２が、第１監視信号の値と第２監視信号の値との差分である監視信号の差分を算出し、該監視信号の差分が所定の範囲内にない場合に第３異常検出信号を出力する監視信号比較部１４と、第２監視信号の基準となる第２基準値を記憶する第２レジスタ１３と、第１基準値と第２基準値との差分である基準値の差分を算出し、該基準値の差分が所定の範囲内にない場合に第４異常検出信号を出力する基準値比較部１５と、をさらに備え、アラーム出力部１０は、第１乃至第４異常検出信号の少なくともいずれか一つが出力された場合にアラームを発生する点である。その他の構成は実施例１の構成と同様であるので重複説明は省略する。
【００４６】
実施例１の構成においてもハングアップが生じた場合やデジタルコントローラの監視値などの設定値が誤って変更されてしまった場合など、デジタルコントローラに不具合が生じた場合には、異常を検出できなくなる恐れがある。そこで、デジタルコントローラ間でフィードバック（監視）信号を相互に監視するとともに、デジタルコントローラ間で監視範囲などの設定値を相互に監視し、各々の差分が予め設定された範囲を超えた場合に監視アラームを出力するものである。
【００４７】
このような構成とすることにより、例えば、第１監視信号が異常な範囲にあるにも関わらず第１異常検出信号出力部７自体の動作に不具合が生じた場合には、監視信号比較部１４が第１監視信号と第２監視信号とを比較し、所定の範囲内にない場合には異常と判断することが可能となる。さらに、例えば、第１監視信号が異常な範囲にあるにも関わらず第１レジスタ８自体の動作に不具合が生じた場合には、基準値比較部１５が第１レジスタ８に記憶された第１基準値と、第２レジスタ１３に記憶された第２基準値とを比較し、所定の範囲内にない場合には異常と判断することが可能となる。
【００４８】
次に、本発明の実施例４に係るデジタル制御電源１０４の動作について説明する。図９に本発明の実施例４に係るデジタル制御電源の動作を表すフローチャートを示す。ステップＳ４０１〜４０５の動作は、実施例１に係るデジタル制御電源の動作を示した図３のフローチャートのステップＳ１０１〜１０５の動作と同様であるので、重複説明を省略する。
【００４９】
ステップＳ４０６において、第２監視信号が所定の範囲内である場合には、実施例１のようにフィードバックを継続するのではなく、ステップＳ４０７においてさらに監視を行う。ステップＳ４０７において、監視用デジタルコントローラ２内に設けられた監視信号比較部１４が、第１監視信号の値と第２監視信号の値との差分である監視信号の差分を算出する。
【００５０】
次に、ステップＳ４０８において、監視信号比較部１４が監視信号の差分が監視信号比較部１４に予め設定された所定の範囲内であるか否かを判断する。監視信号の差分が所定の範囲内にない場合には、第３異常検出信号を出力し、ステップＳ４１１において第３異常検出信号がアラーム出力部１０に出力され、アラーム出力部１０は監視アラームを出力する。一方、監視信号の差分が所定の範囲内である場合には、ステップＳ４０９においてさらに監視を行う。ステップＳ４０９において、監視用デジタルコントローラ２内に設けられた基準値比較部１５が、第１基準値と第２基準値との差分である基準値の差分を算出する。
【００５１】
次に、ステップＳ４１０において、基準値比較部１５が、基準値の差分が基準値比較部１５に予め設定された所定の範囲内であるか否かを判断する。基準値の差分が所定の範囲内にない場合には、第４異常検出信号を出力し、ステップＳ４１１において第４異常検出信号がアラーム出力部１０に出力され、アラーム出力部１０は監視アラームを出力する。一方、基準値が所定の範囲内である場合には、ステップＳ４０２に戻って、パワー部３の出力の安定化及び第１及び第２フィードバック信号の監視が継続される。
【００５２】
以上のようにして、監視用デジタルコントローラ２内に第２異常検出信号出力部１２、監視信号比較部１４及び基準値比較部１５を設けることによって、アラーム出力部１０は、第１乃至第４異常検出信号の少なくともいずれか一つが出力された場合にアラームを発生し、監視を多重化することができる。
【００５３】
以上説明した本発明の実施例では、１つの電源制御用デジタルコントローラに対して１つの監視用デジタルコントローラを設ける構成を示したが、これには限られず、１つの電源制御用デジタルコントローラに対して複数の監視用デジタルコントローラを設けるようにしてもよい。
【符号の説明】
【００５４】
１    電源制御用デジタルコントローラ
２    監視用デジタルコントローラ
３    パワー部
４    第１Ａ／Ｄ変換器
５    ＰＷＭ回路
６    ドライバ
７    第１異常検出信号出力部
８    第１レジスタ
１０    アラーム出力部
１１    第２Ａ／Ｄ変換器
１２    第２異常検出信号出力部
１３    第２レジスタ
１４    監視信号比較部
１５    基準値比較部
１０１、１０２、１０３、１０４    デジタル制御電源
【図１】
2014064354.tif 000003
【図２】
2014064354.tif 000004
【図３】
2014064354.tif 000005
【図４】
2014064354.tif 000006
【図５】
2014064354.tif 000007
【図６】
2014064354.tif 000008
【図７】
2014064354.tif 000009
【図８】
2014064354.tif 000010
【図９】
2014064354.tif 000011